(57)【要約】【課題】除霜水排出樋を庫内に突出させて設けた冷蔵庫において、その突出部分の外側に結露を生じることのないようにする。【解決手段】除霜水排出樋２８の配設状態で該除霜水排出樋２８の庫内内壁から突出する部分２８ｄの外側に断熱部３１を設けた。【選択図】図１
2016038145.tif 000002
【特許請求の範囲】
【請求項１】
庫内に、
貯蔵室と、
この貯蔵室の冷却に供する冷却器と、
この冷却器の下方に位置して該冷却器から滴下する除霜水を受け排出させる除霜水排出樋とを具備する冷蔵庫において、
その除霜水排出樋が庫内内壁から側部を庫内に突出させて設けられ、その突出部分の外側に断熱部を設けた冷蔵庫。
【請求項２】
前記断熱部を、前記除霜水排出樋の突出部分の外側にその突出部分から所定の寸法離間して連なる外壁を形成して設けた請求項１記載の冷蔵庫。
【請求項３】
前記除霜水排出樋の突出部分から前記外壁に達するリブを設けた請求項２記載の冷蔵庫。
【請求項４】
前記リブを、前記除霜水排出樋との一体成形により設けた請求項３記載の冷蔵庫。
【請求項５】
前記リブを、前記外壁の下端部にかけて設けた請求項３又は４記載の冷蔵庫。
【発明の詳細な説明】
【技術分野】
【０００１】
本発明の実施形態は冷蔵庫に関する。
【背景技術】
【０００２】
従来より、冷蔵庫においては、庫内に、冷蔵室や冷凍室並びに野菜室といった貯蔵室が具えられると共に、これらの貯蔵室の冷却に供する冷却器が具えられ、そして、その冷却器の下方には除霜水排出樋が設けられ、冷却器の除霜を行ったときに該冷却器から滴下する除霜水をその除霜水排出樋で受け、機外の蒸発皿に向け排出させるようになっている（例えば特許文献１参照）。
【０００３】
図６は、従来の冷蔵庫における除霜水排出樋の配設構造を示しており、外箱１０１との間に断熱材１０２を充填して断熱キャビネット１０３を構成した内箱１０４が冷蔵庫の庫内内壁となっており、この庫内内壁（内箱）１０４の奥部に凹部１０５が設けられ、この凹部１０５に除霜水排出樋１０６がほゞ全部収納されて配設されている。
そして、この場合、庫内には、貯蔵品容器を出し入れするためのレール機構１０７が、庫内の奥行寸法を有効に利用すべく庫内内壁１０４の奥部の直前部に達する長さで設けられている。
【０００４】
これに対して、本出願人においては、上記レール機構１０７より長いレール機構を使用することを考えた。これは、例えば使用者の使い勝手を良くすべく、貯蔵品容器の出し入れ量を大きくするためである。すなわち、それらのレール機構は断熱キャビネット１０３側の固定レールと、貯蔵容器側の可動レールとから成っているが、それらのレールを長くすることで、貯蔵品容器の出し入れ量、特には引出し量を大きく確保することができ、引出し状態での貯蔵品の出し入れが容易にできるのである。
【０００５】
図７は、そのように長くしたレール機構１０７′を設ける場合の構造を示しており、その長いレール機構１０７′を組込むために庫内内壁１０４の奥部が従来のものより後退し、庫内の奥行寸法が増している。そして、それに伴い、凹部１０５′が従来の凹部１０５より深さを減じて設けられており、その関係で、除霜水排出樋１０６は奥側の一部１０６ａを凹部１０５′に収納し、残り部分１０６ｂを庫内に突出させて配設されている。
【先行技術文献】
【特許文献】
【０００６】
【特許文献１】特開２００５−１８０７３９号公報
【発明の概要】
【発明が解決しようとする課題】
【０００７】
上述のように除霜水排出樋１０６を庫内に突出させて設けたものの場合、その突出部分１０６ｂにおいては、外側で庫内空気が冷却器による除霜水排出樋１０６内の冷気に冷却されて結露、氷結を生じるという現象を生じてしまう。
【０００８】
そこで、除霜水排出樋を庫内に突出させて設けたものにおいて、その突出部分の外側に結露、氷結を生じることのない冷蔵庫を提供する。
【課題を解決するための手段】
【０００９】
本実施形態の冷蔵庫は、庫内に、貯蔵室と、この貯蔵室の冷却に供する冷却器と、この冷却器の下方に位置して該冷却器から滴下する除霜水を受け排出させる除霜水排出樋とを具備するものにおいて、その除霜水排出樋が庫内内壁から側部を庫内に突出させて設けられ、その突出部分の外側に断熱部を設けたことを特徴とする。
【図面の簡単な説明】
【００１０】
【図１】一実施形態を示す主要部分の横断面図
【図２】冷蔵庫全体の縦断側面図
【図３】主要部分の縦断正面図
【図４】除霜水排出樋単体の斜視図
【図５】図１のV−V線に沿う断熱部部分の断面図
【図６】従来例の図１相当図
【図７】異なる従来例の図１相当図
【発明を実施するための形態】
【００１１】
以下、一実施形態につき、図面を参照して説明する。
まず、図２には冷蔵庫の全体を縦断面にて右側面より見て示している。この図で明らかなように、庫本体１は縦長の筐体から成るものであり、その周壁は断熱壁であって、外箱1ａ、内箱１ｂ、並びにそれら両箱１ａ，１ｂ間に充填した断熱材１ｃから成っており、内部の上側が冷蔵温度帯である冷蔵エリアＲ、下側が冷凍温度帯である冷凍エリアＦとなっている。
【００１２】
冷蔵エリアＲには貯蔵室である冷蔵室２と野菜室３とが存在し、冷凍エリアＦには同じく貯蔵室である冷凍室４が存在している。これらの貯蔵室につき、冷蔵室２と野菜室３との間は通常の仕切板５で仕切っており、野菜室３と冷凍室４との間（冷蔵エリアＲと冷凍エリアＦとの間）は庫本体１の断熱仕切壁６で仕切っている。
上記貯蔵室２〜４は、いずれも前面が開口するものであり、その各開口部を個々の扉７〜９で開閉するようにしている。
【００１３】
冷蔵室２の扉７の裏側にはポケット１０を複数段設けており、冷蔵室２には棚１１を同じく複数段設けている。更に、冷蔵室２には、最下部にチルド容器１２を引出し可能に設けており、このチルド容器１２の内部が今一つの貯蔵室であるチルドルーム１３として機能するようになっている。
野菜室３には、貯蔵品容器である野菜容器１４を、詳しくは図示しないが野菜室３の扉８の開閉と共に出し入れされるように設けている。
【００１４】
冷凍室４には、上部に、貯氷容器１５を設ける共に、その貯氷容器１５に貯留する氷を製造する製氷皿１６ａや、この製氷皿１６ａから氷を剥離させる離氷駆動部１６ｂ、及び貯氷容器１５に貯留した氷の量（嵩）を検知する貯氷検知レバー１６ｃ等から成る製氷機構１６を設けている。
冷凍室４の下部には、貯蔵品容器である冷凍貯蔵容器１７を、これも詳しくは図示しないが冷凍室４の扉９の開閉と共に出し入れされるように設けている。
【００１５】
そして、冷凍室４から野菜室３及び冷蔵室２にかけての奥部には、冷却器室１８を隔壁１９で隔てて設けており、この冷却器室１８に冷却器２０とファン２１とを配置している。冷却器２０は、庫本体１外（庫外）後下部の機械室２２に配置した圧縮機２３や、図示しない凝縮器及び絞り器であるキャピラリチューブ等とで周知の冷凍サイクルを構成するもので、圧縮機２３が作動することにより、該圧縮機２３から、凝縮器、キャピラリチューブ、冷却器２０、そして又圧縮機２３の順に図示しない冷媒が流れて循環されるようになっている。
【００１６】
冷却器２０は、上記冷凍サイクルにおける冷媒の循環により、冷却器室１８を通る空気を冷却するものであり、この冷却器２０の上方にファン２１が位置し、更にその上方に空気の流通を制御する制御手段であるダンパ２４が位置している。
【００１７】
冷却器室１８から上方には冷蔵室２奥部のほゞ最上部まで延びる冷気送りダクト２５を設けており、図に矢印で示すように、この冷気送りダクト２５からは、冷蔵室２に向けて上下複数の箇所から給気するようにしている。又、冷却器室１８から前記チルドルーム１３には直接的に給気するようにしている。
そして、冷蔵室２からは、前記仕切板５の後部に形成した連通口５ａを通じて野菜室３に給気し、その後に、冷却器室１８に還気するようにしている。
【００１８】
又、冷却器室１８からは、前記製氷機構１６に臨む部分に形成した冷気供給口２６から製氷機構１６部分に給気するようにしており、冷却器室１８からは更に、前記冷凍貯蔵容器１７に臨む部分に形成した図示しない冷気供給口から冷凍貯蔵容器１７部分に給気するようにしている。そして、冷凍室４からは、冷却器室１８の最下部に形成した冷気戻り口２７から冷却器室１８に還気するようにしている。
このようにして、冷却器２０がファン２１とで、チルドルーム１３を含む冷蔵室２と野菜室３及び冷凍室４の冷却に供するようになっている。
【００１９】
冷却器２０の下方には、除霜水排出樋２８を設置している。この除霜水排出樋２８は、図３にも示すように、例えば冷却器２０に付設した図示しない除霜ヒータにより該冷却器２０の除霜を行うことにより発生して該冷却器２０から滴下する除霜水を受けるものであり、底部のほゞ中央部に排水口２８ａを有し、該排水口２８ａからの排水性を考慮して、内底面には排水口２８ａに向かって左右及び前後の各両側端より漸次下降傾斜する斜状部２８ｂを有している。
【００２０】
ここで、前述の野菜容器１４と貯氷容器１５及び冷凍貯蔵容器１７の出し入れに関して述べるに、それらの出し入れは、レール機構を介して行うようにしており、そのうちの冷凍貯蔵容器１７の出し入れのためのレール機構２９を図１に示している。このレール機構２９は、既述のように、庫本体（断熱キャビネット）１側の固定レールと、冷凍貯蔵容器１７側であって且つ扉９側の可動レールとから成っており（詳しくは図示せず）、それらのレールを長くしていて、それにより、冷凍貯蔵容器１７の出し入れ量、特には引出し量を大きく確保し、引出し状態での貯蔵品の出し入れが容易にできるようにしている。
【００２１】
図１には又、庫内内壁である冷凍室４の奥部４ａをも示している。この冷凍室４の奥部４ａは前記内箱１ｂの一部でもあるが、その中央部一帯には奥行の小さな凹部３０を形成しており、この凹部３０に前記除霜水排出樋２８の奥側の一部２８ｃを収納している。従って、除霜水排出樋２８は、庫内内壁（冷凍室４の奥部）４ａから残り部分２８ｄ（特には該部分２８ｄの左右両方の側部）を庫内に突出させて配設しており、前記レール機構２９はその除霜水排出樋２８の突出部分２８ｄと奥行方向で重なり合っている。すなわち、前記レール機構２９の長さは、除霜水排出樋２８の突出部分２８ｄと奥行方向で重なり合う長さである。
【００２２】
なお、レール機構２９の長延化に伴い、庫本体１の断熱壁が奥部で薄肉化するが、その断熱壁には、詳しくは図示しないが、断熱材１ｃに、断熱性能に優れた真空断熱パネルを発泡ポリウレタンなど発泡断熱材と併せて、もしくは単独で使用しており、故に断熱性能の低下はない。又、その真空断熱パネルは庫本体１断熱壁の左右の両側部においても使用している。
【００２３】
そして、除霜水排出樋２８の上記突出部分２８ｄの外側には、断熱部３１を設けている。この断熱部３１は、この場合、図４にも示すように、除霜水排出樋２８の突出部分２８ｄの外側にその突出部分２８ｄから所定の寸法離間して連なる外壁３１ａを形成して設けたものであり、除霜水排出樋２８とは上面及び前面で連なって、下面及び後面が開放する矩形の袋状を成している。但し、前記凹部３０に除霜水排出樋２８の一部２８ｃを収納して配設した状態で、外壁３１ａの下面の開放部は図５に示すように前記冷却器室１８の底部１８ａに接して閉塞され、後面の開放部は図１に示すように冷凍室４の奥部４ａに接して閉塞されるようにしている。
【００２４】
この結果、外壁３１ａの内部は空気が封じ込められるものであり、その封じ込められた空気により除霜水排出樋２８の上記突出部分２８ｄの外側が断熱され、断熱部３１となるようになっている。
なお、図４に示すように、除霜水排出樋２８の前面部は、上縁部が前述の内底面の傾斜形状と平行となっているが、後面部は、上縁部が他の面（左右の両側面）の上縁部と同じ非傾斜形状となっている。
【００２５】
又、外壁３１ａは、プラスチックの型成形により除霜水排出樋２８と一体に形成している。
更に、除霜水排出樋２８の突出部分２８ｄと外壁３１ａとの間には、その突出部分２８ｄから外壁３１ａに達するリブ３２を複数設けている。このリブ３２も、プラスチックの型成形により除霜水排出樋２８と一体に形成したものであり、すなわち、除霜水排出樋２８との一体成形により設けていて、外壁３１ａとも一体となっている。
加えて、リブ３２は外壁３１ａの上面部から下端部にかけて設けており、同時に除霜水排出樋２８の突出部分２８ｄの下縁部にかけて設けている。
【００２６】
次に、上記構成の冷蔵庫の作用効果を述べる。
上記構成の冷蔵庫においては、除霜水排出樋２８を庫内に突出させて設けているものの、その突出部分２８ｄの外側には断熱部３１を設けているので、庫内と突出部分２８ｄとの間は断熱部３１で断熱して遮断される。このため、庫内空気が突出部分２８ｄに直に触れることが避けられ、冷却器２０による除霜水排出樋２８内の冷気によって庫内空気が突出部分２８ｄを介して冷却されるということもなくなる。これにより、その突出部分２８ｄの外側における結露、氷結を防止することができる。
【００２７】
又、上記構成の冷蔵庫においては、上記断熱部３１を、除霜水排出樋２８の突出部分２８ｄの外側にその突出部分２８ｄから所定の寸法離間して連なる外壁３１ａを形成して設けており、その外壁３１ａ内の空気によって所要の断熱作用を合理的に得ることができる。
但し、外壁３１ａ内には発泡スチロール等の断熱材を装填しても良く、又、断熱部３１自体、その発泡スチロール等の断熱材を除霜水排出樋２８の突出部分２８ｄの外側に貼付けるなどして設けるようにしても良い。
【００２８】
更に、上記構成の冷蔵庫においては、除霜水排出樋２８の突出部分２８ｄから外壁３１ａに達するリブ３２を設けており、これによって外壁３１ａを補強でき、該外壁３１ａに凹みなど変形を生じないようにできるので、断熱部３１を定形に保持することができ、ひいては所期の断熱作用をより確実に得ることができる。
【００２９】
加えて、上記構成の冷蔵庫においては、上記リブ３２を、除霜水排出樋２８との一体成形により設けており、これによってリブ３２を別途作成して取付けるような手間を省くことができ、製造性を良くすることができる。
そして、上記構成の冷蔵庫においては、リブ３２を外壁３１ａの下端部にかけて設けており、これによって前述の外壁３１ａの補強作用を増し、断熱部３１をより堅固に定形保持することができるので、所期の断熱作用も一段と確実に得ることができる。この場合、リブ３２は、除霜水排出樋２８と別体で設けていても良い。
【００３０】
以上説明した冷蔵庫は、上記実施形態にのみ限定されるものではなく、要旨を逸脱しない範囲内で適宜変更して実施し得る。
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００３１】
図面中、２は冷蔵室（貯蔵室）、３は野菜室（貯蔵室）、４は冷凍室（貯蔵室）、２０は冷却器、２８は除霜水排出樋、２８ｄは突出部分、３１は断熱部、３１ａは外壁、３２はリブを示す。
【図１】
2016038145.tif 000003
【図２】
2016038145.tif 000004
【図３】
2016038145.tif 000005
【図４】
2016038145.tif 000006
【図５】
2016038145.tif 000007
【図６】
2016038145.tif 000008
【図７】
2016038145.tif 000009